(57)【要約】【課題】後続ジョブの設定操作中に先行ジョブでエラーが発生した際の，表示の切り替えを好適に行う複写機を提供すること。【解決手段】複写機１００は，先行ジョブの印刷中に後続ジョブの読み取りを開始可能なものである。後続ジョブの印刷設定は，複写機１００の表示部４１に表示される設定画面を操作することによって行う。複写機１００では，設定画面を利用して後続ジョブのコピー処理に関する設定を行っている最中であって先行ジョブの印刷中にエラーを検知すると，計時を開始する。そして，計時時間が閾値時間を越えたことを条件に，設定画面からエラーの内容を報知する報知画面に切り替える。【選択図】            図１０
2011232523.tif 000002
【特許請求の範囲】
【請求項１】
原稿の読み取りとその読み取りで得た画像の印刷とを行うコピー処理を実行可能であり，先行ジョブのコピー処理の読み取りが完了した後であってそのコピー処理の印刷中に，後続ジョブのコピー処理の読み取りを開始可能な複写機において，
後続ジョブのコピー処理に関する設定画面を表示中に先行ジョブのコピー処理の印刷でエラーが発生したことを検知する検知手段と，
前記検知手段によるエラー検知を契機に計時を開始し，その計時時間が閾値時間を越えたことを条件に，後続ジョブのコピー処理に関する設定画面から先行ジョブのエラーに関する報知画面に切り替える切替手段と，
を備えることを特徴とする複写機。
【請求項２】
請求項１に記載する複写機において，
前記閾値時間の長さは，エラーの種類によって異なることを特徴とする複写機。
【請求項３】
請求項１または請求項２に記載する複写機において，
前記計時時間が前記閾値時間に到達するまでの時間を通知する通知手段を備えることを特徴とする複写機。
【請求項４】
請求項１から請求項３のいずれか１つに記載する複写機において，
前記計時時間は，前記設定画面が操作されたことを契機にリセットされることを特徴とする複写機。
【請求項５】
請求項１から請求項４のいずれか１つに記載する複写機において，
前記切替手段による前記閾値時間の経過を条件とする画面の切り替えを制限し，設定操作の完了を検知したことを契機に前記設定画面から前記報知画面に切り替える制限手段を備えることを特徴とする複写機。
【請求項６】
請求項１から請求項５のいずれか１つに記載する複写機において，
前記閾値時間の長さは，操作間隔の履歴に基づいて決定されることを特徴とする複写機。
【請求項７】
請求項１から請求項６のいずれか１つに記載する複写機において，
前記検知手段によってエラーが検知された場合に，エラーが発生したことを警告する警告手段を備えることを特徴とする複写機。
【発明の詳細な説明】
【技術分野】
【０００１】
本発明は，原稿の読み取りと，その読み取りで得た画像の印刷とを行うコピー処理を実行可能な複写機に関する。さらに詳細には，先行ジョブのコピー処理の読み取りが完了した後であってその印刷を行っている最中に，後続ジョブのコピー処理の読み取りを開始可能な複写機に関するものである。
【背景技術】
【０００２】
従来から，先行ジョブのコピー処理の印刷中に，後続ジョブのコピー処理の読み取りを開始できる複写機が知られている（例えば，特許文献１）。このような複写機では，印刷と読み取りとが互いに独立して動作する。このことから，一方の動作過程で他方の動作でエラーが発生しても，一方の動作を継続することができる。
【先行技術文献】
【特許文献】
【０００３】
【特許文献１】特開平１０−１４２８４６号公報
【発明の概要】
【発明が解決しようとする課題】
【０００４】
しかしながら，前記した従来の複写機には，次のような問題があった。すなわち，先行ジョブも後続ジョブもユーザインターフェースは共通する。そのため，先行ジョブの印刷中であって後続ジョブの設定を行っている最中に先行ジョブにエラーが発生したとき，どちらのジョブを優先して表示を行うのかが問題となる。例えば，先行ジョブを優先してエラー表示に切り換えると，後続ジョブの設定が中断されることになり，操作性が低下する。一方，後続ジョブを優先して設定が完了するまでエラー表示への切り換えを待つと，エラー解消までの時間が長期化してしまう。
【０００５】
本発明は，前記した従来の複写機が有する問題点を解決するためになされたものである。すなわちその課題とするところは，後続ジョブの設定操作中に先行ジョブでエラーが発生した際の，表示の切り替えを好適に行う複写機を提供することにある。
【課題を解決するための手段】
【０００６】
この課題の解決を目的としてなされた複写機は，原稿の読み取りとその読み取りで得た画像の印刷とを行うコピー処理を実行可能であり，先行ジョブのコピー処理の読み取りが完了した後であってそのコピー処理の印刷中に，後続ジョブのコピー処理の読み取りを開始可能な複写機であって，後続ジョブのコピー処理に関する設定画面を表示中に先行ジョブのコピー処理の印刷でエラーが発生したことを検知する検知手段と，検知手段によるエラー検知を契機に計時を開始し，その計時時間が閾値時間を越えたことを条件に，後続ジョブのコピー処理に関する設定画面から先行ジョブのエラーに関する報知画面に切り替える切替手段とを備えることを特徴としている。
【０００７】
本発明の複写機は，先行ジョブの印刷中に後続ジョブの読み取りを開始可能なものである。本発明の複写機は，コピー設定に関する設定画面を利用して後続ジョブのコピー設定を行っている際に先行ジョブの印刷でエラーを検知すると，タイマ等による計時を開始する。そして，その計時時間が閾値時間を越えたことを条件に，エラー内容を報知する報知画面に切り替える。閾値時間は，あらかじめ設定された固定値であってもよいし，エラーの状況や操作の履歴から決定される可変値であってもよい。
【０００８】
すなわち，本発明の複写機では，先行ジョブの印刷中にエラーを検知した場合，エラー検知からの計時時間が閾値時間を越えるのを待って，設定画面から報知画面に切り替える。つまり，エラーを検知した時点から報知画面に切り替える時点までに待機期間がある。この待機期間により，エラーが発生しても設定画面が即時には切り替わらず，少なくとも待機期間分は後続ジョブの設定操作の機会が確保される。そのため，後続ジョブのユーザの操作性の低下を抑えることができる。また，待機期間の経過後は，報知画面に切り替えられることから，先行ジョブのエラーが長時間放置されることも回避できる。
【０００９】
また，本発明の複写機は，閾値時間の長さがエラーの種類によって異なるとよい。例えば，緊急を要するエラーについては，待機期間が短くなるように閾値時間を設定して早急に画面を切り替えた方が望ましい。
【００１０】
また，本発明の複写機は，計時時間が閾値時間に到達するまでの時間を通知する通知手段を備えるとよい。操作可能な時間が把握できるように表示することで，不意に画面が切り替えられることを防止できる。なお，通知される時間は，計時時間であってもよいし，閾値時間から計時時間を引いた時間，すなわち画面が切り替えられるまでの残り時間であってもよい。
【００１１】
また，本発明の複写機は，設定画面が操作されたことを契機に計時時間がリセットされるとよい。操作の度に計時時間をリセットすることで，後続ジョブの操作完了の可能性が高まる。
【００１２】
また，本発明の複写機は，切替手段による閾値時間の経過を条件とする画面の切り替えを制限し，設定操作の完了を検知したことを契機に設定画面から報知画面に切り替える制限手段を備えるとよい。ユーザによっては，設定操作の完了を望むことがある。そのため，切り替えを制限することを選択できる方が望ましい。なお，設定操作の完了は，例えば，コピー開始指示の入力，設定内容のキャンセルの入力，あるいは設定内容の確定の入力によって検知できる。
【００１３】
また，本発明の複写機は，閾値時間の長さが操作間隔の履歴に基づいて決定されるとよい。ユーザごとに操作間隔は異なることから，複写機を操作するユーザに適した待機期間を設定する方が望ましい。
【００１４】
また，本発明の複写機は，検知手段によってエラーが検知された場合に，エラーが発生したことを警告する警告手段を備えるとよい。少なくとも何らかのエラーが発生したことをユーザに把握させることで，ユーザは近々画面が切り替えられることを認識して設定操作を継続できる。つまり，ユーザが予期しない画面切り替えを回避できる。警告方法としては，例えば，ランプの点灯，警告音の出力，設定画面の色変更，設定画面への警告マークの表示が該当する。
【発明の効果】
【００１５】
本発明によれば，後続ジョブの設定操作中に先行ジョブでエラーが発生した際の，表示の切り替えを好適に行う複写機が実現される。
【図面の簡単な説明】
【００１６】
【図１】実施の形態にかかる複写機の構成を示すブロック図である。
【図２】複写機の基本画面の表示例を示す図である。
【図３】コピー処理の設定に関する設定画面の表示例を示す図である。
【図４】実施の形態にかかる表示切替処理の手順を示すフローチャートである。
【図５】実施の形態にかかる割込表示処理の手順を示すフローチャートである。
【図６】実施の形態にかかる待機期間決定処理の手順を示すフローチャートである。
【図７】画面切り替えまでの時間が表示された設定画面の表示例を示す図である。
【図８】印刷エラーに関する報知画面の表示例を示す図である。
【図９】画面切り替えの確認メッセージが表示された設定画面の表示例を示す図である。
【図１０】先行ジョブと後続ジョブの処理経過を示すタイムチャートである。
【発明を実施するための形態】
【００１７】
以下，本発明にかかる複写機を具体化した実施の形態について，添付図面を参照しつつ詳細に説明する。本形態は，原稿の読み取りとその読み取りで得た画像の印刷とを行うコピー機能を有し，印刷と読み取りとが互いに独立して動作する複写機に本発明を適用したものである。
【００１８】
［複写機の構成］
続いて，複写機１００の概略構成について説明する。複写機１００は，図１に示すように，ＣＰＵ３１と，ＲＯＭ３２と，ＲＡＭ３３と，ＮＶＲＡＭ（不揮発性ＲＡＭ）３４と，ＡＳＩＣ３５と，ネットワークインターフェース３６とを備えた制御部３０を備えている。また，制御部３０は，画像形成部１０，画像読取部２０，操作部４０等と電気的に接続されている。
【００１９】
画像形成部１０は，画像を形成し，その画像を用紙に印刷するものである。画像形成方式は，公知の電子写真方式やインクジェット方式が適用可能である。画像読取部２０は，原稿の画像を読み取るものである。複写機１００は，画像読取部２０で原稿を読み取り，その読み取りで得た画像を画像形成部１０で印刷するコピー処理を実行可能である。
【００２０】
また，操作パネル４０は，液晶ディスプレイからなる表示部４１や，スタートキー，ストップキー，テンキー等から構成されるボタン群４２を備えている。この操作パネル４０により動作状況の表示やユーザによる入力操作が可能になっている。
【００２１】
画像形成部１０，画像読取部２０，および操作パネル４０は，互いに独立して動作するように構成されている。そのため，例えば，画像形成部１０が印刷中であっても，画像読取部２０での読み取りを行うことができる。また，画像形成部１０や画像読取部２０が動作中であっても，操作パネル４０での設定作業を行うことができる。
【００２２】
ＲＯＭ３２には，複写機１００を制御するための各種制御プログラムや各種設定，初期値等が記憶されている。ＲＡＭ３３は，各種制御プログラムが読み出される作業領域として，あるいは印刷データを一時的に記憶する記憶領域として利用される。
【００２３】
ＣＰＵ３１は，ＲＯＭ３２から読み出した制御プログラムや各種センサから送られる信号に従って，その処理結果をＲＡＭ３３またはＮＶＲＡＭ３４に記憶させながら，複写機１００の各構成要素を，ＡＳＩＣ３５を介して制御する。
【００２４】
ネットワークインターフェース３６はネットワークに接続され，複写機１００用のプリンタドライバが組み込まれた外部装置との接続を可能にしている。そして，ネットワークインターフェース３６を介して外部装置とのデータ通信を行うことができる。
【００２５】
［複写機の表示部の基本動作］
続いて，本形態の複写機１００の表示部４１の基本動作について説明する。表示部４１は，電源投入後，あるいは待機中，図２に示すような基本画面を表示する。この基本画面を表示中にコピー処理に関するパネル操作を受け付けると，図３に示すようなコピー設定に関する設定画面に切り替える。そして，設定画面を表示中，ユーザによるコピー設定の入力を受け付ける。
【００２６】
複写機１００は，表示部４１で設定画面を表示中，操作ボタン群４２中のスタートボタンの押下を検知すると，コピー動作を開始する。表示部４１は，コピー動作の開始を契機に，設定画面から基本画面に切り替える。
【００２７】
また，表示部４１は，設定画面を表示中，操作ボタン群４２中のストップボタンの押下を検知すると，設定画面の設定内容を取り消し，基本画面に切り替える。また，表示部４１は，設定画面を表示中，一定時間以上操作パネル４０に対する操作が無かった場合にも，設定画面の設定内容を取り消し，基本画面に切り替える。
【００２８】
また，複写機１００は，前述したように，画像形成部１０，画像読取部２０，および操作パネル４０が互いに独立して動作することから，例えば，先行ジョブのコピー処理の印刷中に，その先行ジョブに後続する後続ジョブの設定作業を行うことができる。すなわち，表示部４１は，先行ジョブのコピー動作中であっても，設定画面を表示して後続ジョブについてのコピー設定を受け付ける。そして，先行ジョブが印刷中であっても，後続ジョブの読み取り開始を指示することができる。
【００２９】
前述の後続ジョブの設定作業中，すなわち設定画面の表示中，先行ジョブの印刷でエラーが発生し，先行ジョブのコピー動作が中断することがある。この場合，表示部４１を，先行ジョブのエラーの内容を報知するエラー報知画面に切り替える。エラーが解消すると，表示部４１を設定画面（操作途中であったときは，その途中の状態に戻る）あるいは基本画面に戻す。
【００３０】
［複写機のコピー処理］
続いて，前述した表示部４１の画面切り替え動作を実現する複写機１００の表示切替処理（検知手段，警告手段の一例）について，図４のフローチャートを参照しつつ説明する。この表示切替処理は，表示部４１にてコピー設定に関する設定画面を表示中，コピー処理の開始指示を検知することで実行される。なお，表示切替処理と同時に，原稿の読み取りが開始される。つまり，表示切替処理の実行中は，コピー処理のジョブ（先行ジョブ）が実行中になっている。
【００３１】
まず，表示部４１を，設定画面から基本画面に切り替える（Ｓ１０１）。このとき，基本画面中に，先行ジョブについてコピー実行中である旨を表示してもよい。
【００３２】
次に，操作パネル４０にコピー処理に関するパネル操作があったか否かを判断する（Ｓ１０２）。パネル操作がなければ（Ｓ１０２：ＮＯ），Ｓ１１０に移行し，コピー処理が終了したか否かを判断する。パネル操作があった場合には（Ｓ１０２：ＹＥＳ），操作パネル４０が受付可能状態であるか否かを判断する（Ｓ１０３）。パネル操作の受け付けが不可能な状態としては，例えば，先行ジョブが読み取り動作中である場合が該当する。操作パネル４０が受付不可能状態であれば（Ｓ１０３：ＮＯ），Ｓ１１０に移行し，パネル操作が無かったものとして扱う。
【００３３】
一方，操作パネル４０が受付可能状態であれば（Ｓ１０３：ＹＥＳ），表示部４１を，基本画面から設定画面に切り替える（Ｓ１０４）。これにより，後続ジョブの設定が可能になる。このとき，先行ジョブはコピー処理を継続している。そのため，設定画面中に，先行ジョブについてコピー実行中である旨を表示してもよい。
【００３４】
次に，複写機１００にエラーが発生したか否かを判断する（Ｓ１０５）。エラーが発生している場合には（Ｓ１０５：ＹＥＳ），そのエラーがパネル操作に影響を与えるものか否かを判断する（Ｓ１０６）。
【００３５】
パネル操作に影響を与えるエラーとしては，例えば，用紙ジャムや用紙無し等の印刷を中断させるエラーが該当する。この場合，エラーを解消しない限り先行ジョブが完了せず，結果として後続ジョブの開始が遅れることになる。つまり，先行ジョブの印刷でエラーが発生した場合にはパネル操作に影響を与えるエラーとなる。一方，後続ジョブに影響を与えないエラーとしては，コピー動作とは関係がないエラーが該当し，例えば，印刷を伴わない通信エラー，より具体的には，別に動作可能なＦＡＸのタイマー送信機能が送信先とのコネクションに失敗した場合や，ＰＣからの印刷データが途切れてタイムアウトした場合などが該当する。
【００３６】
エラーがパネル操作に影響を与えるものである場合には（Ｓ１０６：ＹＥＳ），エラーが発生したことを警告する（Ｓ１１１）。警告方法としては，例えば，ランプの点灯，警告音の出力，設定画面の色変更，設定画面への警告マークの表示が該当する。これにより，パネル操作中のユーザは，少なくとも何らかのエラーが発生したことを把握できる。その後，エラー報知画面への切り替えを行う割込表示処理を行う（Ｓ１１２）。
【００３７】
図５は，Ｓ１１２の割込表示処理（切替手段，通知手段，制限手段の一例）の手順を示している。割込表示処理では，まず，エラー発生を検知してからエラー報知画面に切り替えるまでの待機期間の長さを決定する待機期間決定処理を行う（Ｓ１４１）。
【００３８】
図６は，Ｓ１４１の待機期間決定処理の手順を示している。待機期間決定処理では，後続ジョブへの関連が大きいエラーは，関連が小さいエラーと比較して待機期間を短く設定する。図６は，上記の概念に沿って待機時間を決定する手順の具体例である。
【００３９】
待機期間決定処理では，まず，エラーの原因を特定するエラー情報を取得する（Ｓ１６１）。そして，待機期間を計算するために利用する基準時間長Ａを取得する（Ｓ１６２）。基準時間長Ａは，任意の固定値であってもよいし，ユーザによって設定可能にしてもよい。Ｓ１６１とＳ１６２とは逆順であってもよい。
【００４０】
次に，エラーの種別ごとに待機期間Ｔを計算する。具体的に，エラーが，故障系のエラーか否かを判断する（Ｓ１６３）。故障系のエラーには，例えば，画像形成部１０を構成するプロセス系の故障や用紙ジャムが該当する。故障系のエラーの場合には（Ｓ１６３：ＹＥＳ），Ｔ＝Ａ／２とする（Ｓ１７３）。すなわち，故障系のエラーは，エラーが解消するまでコピー処理が中断するため，コピー処理を行う後続ジョブへの影響が高い。そのため，緊急性が高く，早期のエラーの対処が望まれる。
【００４１】
故障系のエラーでなければ（Ｓ１６３：ＮＯ），自動復帰系のエラーか否かを判断する（Ｓ１６４）。自動復帰系のエラーには，例えば，機内温度の低下を待つためのクーリングダウンが該当する。自動復帰系のエラーの場合には（Ｓ１６４：ＹＥＳ），Ｔ＝５×Ａとする（Ｓ１７４）。すなわち，自動復帰系のエラーは，時間経過とともに自動的にコピー処理を再開するため，必ずしもエラーの対処を早期に行わなくてもよい。そのため，緊急性は低く，待機期間Ｔを，故障系のエラーよりも長めに設定する。
【００４２】
自動復帰系のエラーでなければ（Ｓ１６４：ＮＯ），消耗品交換系のエラーか否かを判断する（Ｓ１６５）。消耗品交換系のエラーには，例えば，着色材の不足が該当する。消耗品交換系のエラーの場合には（Ｓ１６５：ＹＥＳ），カラー系のエラーか否かを判断する（Ｓ１６６）。カラー系のエラーではない場合，すなわちモノクロ印刷で使用する色のエラーでは（Ｓ１６６：ＮＯ），Ｔ＝Ａ／２とする（Ｓ１７６）。すなわち，モノクロ印刷で使用する色は，モノクロ印刷であってもカラー印刷であっても使用される。そのため，モノクロ印刷で使用する色のエラーは，緊急性が高く，早期のエラーの対処が望まれる。
【００４３】
一方，カラー系のエラーの場合，すなわちモノクロ印刷で使用しない色のエラーでは（Ｓ１６６：ＹＥＳ），後続ジョブがカラー印刷か否かを判断する（Ｓ１６７）。本形態では，設定画面に移行する際にモノクロ印刷かカラー印刷かを選択しており，カラー印刷が選択されていた場合にはカラー印刷と判断する。後続ジョブもカラー印刷となると，エラーの影響を受けるため，緊急性が高い。そこで，カラー印刷の場合には（Ｓ１６７：ＹＥＳ），Ｔ＝Ａ／２とする（Ｓ１６８）。一方，後続ジョブがカラー印刷でなければ，カラー系のエラーの影響が小さいため，緊急性が低い。そこで，モノクロ印刷あるいは不明の場合には（Ｓ１６７：ＮＯ），Ｔ＝５×Ａとする（Ｓ１７７）。
【００４４】
また，消耗品交換系のエラーでなければ（Ｓ１６５：ＮＯ），エラーの緊急度が不明である。そこで，待機期間Ｔを初期値である基本時間長Ａとする（Ｓ１７５）。待機期間の設定後は，待機期間決定処理を終了する。
【００４５】
図５の説明に戻り，Ｓ１４１の処理が終了した後，図７に示すように，エラー報知画面に切り換わるまでの残り時間を設定画面に表示する（Ｓ１４２）。この残り時間は，Ｓ１４１で取得した待機期間Ｔから後述の計時時間を引いた時間となる。これにより，ユーザは，設定画面が切り替わるまでの時間を把握できる。
【００４６】
次に，経過時間を計時する経過タイマを初期化し，計時を開始する（Ｓ１４３）。その後，操作パネル４０へのパネル操作があったか否かを判断する（Ｓ１４４）。パネル操作があった場合には（Ｓ１４４：ＹＥＳ），そのパネル操作によってパネル操作が完了したか否かを判断する（Ｓ１５１）。パネル操作の完了は，コピー開始指示の入力やコピー設定のキャンセルによって判断できる。パネル操作が完了した場合には（Ｓ１５１：ＹＥＳ），Ｓ１４７に移行してエラー報知画面を表示する。
【００４７】
パネル操作が完了していない場合には（Ｓ１５１：ＮＯ），Ｓ１４３に戻って経過タイマを初期化する。すなわち，パネル操作の都度，経過タイマをリセットする。パネル操作がなければ（Ｓ１４４：ＮＯ），待機期間が経過したか否かを判断する（Ｓ１４５）。待機期間が経過していなければ（Ｓ１４５：ＮＯ），Ｓ１４４に戻ってパネル操作の有無を判断する。
【００４８】
待機期間が経過している場合には（Ｓ１４５：ＹＥＳ），後続ジョブの設定を行っているユーザが，複写機１００に登録されている重要ユーザか否かを判断する（Ｓ１４６）。重要ユーザの判断には，例えば，ユーザの入力やユーザが保持するＩＣタグ等と無線通信によって識別番号を取得し，その識別番号をあらかじめ複写機１００に登録されている重要ユーザの識別番号とを照合することによって判断できる。重要ユーザでなければ（Ｓ１４６：ＮＯ），図８に示すように，表示部４１をエラー報知画面に切り替える（Ｓ１４７）。
【００４９】
一方，重要ユーザの場合には（Ｓ１４６：ＹＥＳ），図９に示すように，画面を切り替えることを許可を求める確認メッセージを設定画面に表示する（Ｓ１５６）。そして，画面の切り替えが許可されたか否かを判断する（Ｓ１５７）。画面の切り替え許可があれば（Ｓ１５７：ＹＥＳ），エラー報知画面に切り替える（Ｓ１４７）。画面の切り替え許可がなければ（Ｓ１５７：ＮＯ），パネル操作が終了するまで待機する（Ｓ１５８）。そして，パネル操作が終了した後，エラー報知画面に切り替える（Ｓ１４７）。すなわち，ユーザによっては，設定操作を完了させる方が望ましいこともある。そこで，重要ユーザに登録されているユーザに限り，設定画面の自動切り替えを制限する。
【００５０】
Ｓ１４７によるエラー報知画面への切り替え後は，エラーが解消されるまで待機する（Ｓ１４８）。そして，エラーが解消された後は，表示部４１を設定画面あるいは基本画面に戻し（Ｓ１４９），割込表示処理を終了する。なお，Ｓ１４９では，待機期間中にパネル操作が完了している場合には基本画面に戻し，パネル操作が完了していない場合には設定画面に戻す。
【００５１】
図４の説明に戻り，Ｓ１１２の処理が終了した後，あるいはエラーが発生していない場合（Ｓ１０５：ＮＯ），あるいはパネル操作に影響を与えないエラーであった場合には（Ｓ１０６：ＮＯ），コピー開始ないし操作キャンセルを受け付けたか否かを判断する（Ｓ１０７，Ｓ１１６）。両方とも受け付けていない場合には（Ｓ１１６：ＮＯ），Ｓ１０５に戻って，Ｓ１０５以降の処理を繰り返す。
【００５２】
現在設定中のジョブ（後続ジョブ）のコピー開始を受け付けた場合には（Ｓ１０７：ＹＥＳ），先行ジョブの完了を待つ（Ｓ１０８）。先行ジョブの完了後，後続ジョブのコピー開始を指示する（Ｓ１０９）。
【００５３】
Ｓ１０９の後，あるいは後続ジョブの操作終了を受け付けた場合には（Ｓ１１６：ＹＥＳ），現在実行中のコピーが完了したか否かを判断する（Ｓ１１０）。コピーが完了していなければ（Ｓ１１０：ＮＯ），Ｓ１０１まで戻り，基本画面に切り替えた後，パネル操作の有無を判断する。コピーが完了している場合には（Ｓ１１０：ＹＥＳ），表示切替処理を終了する。
【００５４】
［コピー動作例］
図１０は，前述した表示切替処理を実行した場合の，先行ジョブと後続ジョブの処理経過の一例を示している。複写機１００は，図１０に示すように，先行ジョブの印刷中に，設定画面を表示して後続ジョブの設定作業を開始することができる。
【００５５】
後続ジョブのパネル操作中，先行ジョブの印刷中にエラーが発生すると，そのエラー発生を契機に計時を開始し，待機期間が経過するまでの間，エラー報知画面の表示を待つ。そして，待機期間が経過すると，エラー報知画面に切り替わる。つまり，エラー発生直後には表示が切り替わらず，待機期間の経過を待つ間，設定画面のままパネル操作を継続できる。そして，待機期間の経過後は，速やかにエラー報知画面に切り替えてエラーの解消を促す。
【００５６】
そして，エラーが解消し，複写機１００が正常に復帰した後は，先行ジョブの印刷を再開する。また，仮に後続ジョブのパネル操作が途中であった場合には，設定画面に戻して後続ジョブの設定を再開する。
【００５７】
以上詳細に説明したように本形態の複写機１００では，先行ジョブの印刷中にエラーを検知した場合，エラー検知からの計時時間が待機期間を越えるのを待って，設定画面から報知画面に切り替える。この待機期間により，エラーが発生しても設定画面が即時には切り替わらず，少なくとも待機期間分は後続ジョブの設定操作の機会が確保される。そのため，後続ジョブのユーザの操作性の低下を抑えることができる。また，待機期間の経過後は，報知画面に切り替えられることから，先行ジョブのエラーが長時間放置されることも回避できる。
【００５８】
なお，本実施の形態は単なる例示にすぎず，本発明を何ら限定するものではない。したがって本発明は当然に，その要旨を逸脱しない範囲内で種々の改良，変形が可能である。例えば，複写機は，専用機に限らず，複合機等，他の機能を備えるものであれば適用可能である。
【００５９】
また，実施の形態では，先行ジョブが読み取り動作中は操作パネル４０への操作が不可であり，設定画面への切り替えを制限しているが，パネル操作を許可してコピー設定を可能にしてもよい。この場合，先行ジョブが読み取り動作中は，少なくとも後続ジョブのコピー開始指示の受け付けを制限する。
【００６０】
また，実施の形態では，Ｓ１４１にて待機期間を計算する際に利用する基準時間長Ａがあらかじめ設定されているが，これに限るものではない。例えば，操作パネル４０への操作間隔（各種ボタンの押下間隔）を検知し，その平均間隔を記憶する。そして，その平均間隔によって基準時間長Ａを変動させてもよい。また，操作間隔をユーザごとに記憶しておき，操作しているユーザごとに基準時間長Ａを変動させてもよい。
【００６１】
また，実施の形態では，待機期間の経過を待つ際，残り時間を表示しているが，これに限るものではない。例えば，経過タイマの計時時間を表示してもよい。また，実施の形態では，残り時間の表示を，計時開始時点から行っているが，残り時間が閾値時間よりも短くなった時点から行ってもよい。
【００６２】
また，実施の形態では，先行ジョブのエラーが解消したことを条件として，表示部４１を設定画面あるいは基本画面に戻しているが，これに限るものではない。すなわち，エラー報知画面は，一度報知すれば，ユーザがその内容を把握することが期待できる。そこで，エラー報知画面を一定期間表示した後，自動的に設定画面に戻すようにしてもよい。表示部４１をエラーの解消前に設定画面に戻すことで，後続ジョブのユーザは早期に設定を再開することができる。また，エラー報知画面の表示中に，設定画面に戻すボタンを設けてもよい。
【００６３】
また，実施の形態では，重要ユーザの場合に切り替え確認を行っているが，全ユーザに対して切り替え確認を行ってもよい。また，切り替え確認を全く行わない構成であってもよい。
【００６４】
また，実施の形態では，エラーが発生した際にユーザがそのことを認識できるようにエラーを警告しているが，エラー警告を行わない構成であってもよい。複写機１００では，エラー発生後であっても待機期間分の操作時間は確保される。そこで，例えば，待機期間の最小値を１分とすると，操作画面やマニュアルに設定操作は１分以内で行うことを記載する。これにより，待機期間の経過後に操作画面が切り替えられたとしても不意な切り替えになる可能性は低く，ユーザの不満を抑えることが期待できる。
【符号の説明】
【００６５】
１０    画像読取部
２０    画像形成部
４０    操作パネル
４１    表示部
４２    ボタン群
１００  複写機
【図１】
2011232523.tif 000003
【図２】
2011232523.tif 000004
【図３】
2011232523.tif 000005
【図４】
2011232523.tif 000006
【図５】
2011232523.tif 000007
【図６】
2011232523.tif 000008
【図７】
2011232523.tif 000009
【図８】
2011232523.tif 000010
【図９】
2011232523.tif 000011
【図１０】
2011232523.tif 000012